(57)【要約】      （修正有）【課題】ＬＥＤを光源とする光源部の組付と交換を容易にすることを課題とする。【解決手段】光源となるＬＥＤモジュール６０を上記ＬＥＤモジュールと電源回路と接続するための給電ソケット７０を備え、上記ＬＥＤモジュールは、ＬＥＤ基板６１上に実装された発光ダイオード（以下、「ＬＥＤ」という）６２と、ＬＥＤ基板上のＬＥＤを挟んで対向した位置に形成されると共にＬＥＤに接続された正負一対の通電部６３とを備えて成り、上記給電ソケットは、絶縁材料からなる基体７１に支持されると共に上記ＬＥＤモジュールの正負一対の通電部と接触する正負一対の接触端子７２を備え、上記基体は、側縁部を上記ＬＥＤ基板の主面にほぼ平行な方向に挿入可能な一対の支持部７３を備え、上記ＬＥＤ基板が上記給電ソケットの支持部に挿入された際に上記一対の通電部が上記一対の接触端子に各別に接触され、側縁部が支持されるようにした車輌用灯具１０。【選択図】図４
2007141549.tif 000002
【特許請求の範囲】
【請求項１】
光源となるＬＥＤモジュールと上記ＬＥＤモジュールを電源回路と接続するための給電ソケットを備えた車輌用灯具であって、
上記ＬＥＤモジュールは、ほぼ平板状のＬＥＤ基板と、上記ＬＥＤ基板上に実装された発光ダイオード（以下、「ＬＥＤ」という）と、上記ＬＥＤ基板上の上記ＬＥＤを挟んで対向した位置に形成されると共にＬＥＤに接続された正負一対の通電部とを備えて成り、
上記給電ソケットは、絶縁材料からなる基体と、上記基体に支持されると共に上記ＬＥＤモジュールの正負一対の通電部と接触する正負一対の接触端子を備え、上記基体は、上記ＬＥＤ基板の通電部が形成された側縁部を上記ＬＥＤ基板の主面にほぼ平行な方向に挿入可能な一対の支持部を備え、
上記ＬＥＤ基板が上記給電ソケットの支持部に挿入された際に上記一対の通電部が上記一対の接触端子に各別に接触され、且つ、該側縁部が支持される
ことを特徴とする車輌用灯具。
【請求項２】
上記ＬＥＤ基板はほぼ四角形の外形を有し、該ＬＥＤ基板の対向する２つの側縁部に通電部が形成され、
上記給電ソケットの一対の支持部は開口面が対向したチャンネル状に形成され、該支持部内においてＬＥＤ基板の通電部が形成された側縁部が上記接触端子によって又は接触端子と支持部との間で支持される
ことを特徴とする請求項１に記載の車輌用灯具。
【請求項３】
上記接触端子は、バネ弾性を有する材料で形成されると共に、上記ＬＥＤ基板の通電部が形成された側縁部に弾発的に接触する弾接片を有する
ことを特徴とする請求項１又は請求項２に記載の車輌用灯具。
【請求項４】
上記給電ソケットの基体には上記ＬＥＤ基板のＬＥＤ実装面の背面を開放する開口部が形成されている
ことを特徴とする請求項１、請求項２又は請求項３に記載の車輌用灯具。
【発明の詳細な説明】
【技術分野】
【０００１】
本発明は新規な車輌用灯具に関する。詳しくは、発光ダイオード（以下、「ＬＥＤ」という）を光源とする車輌用灯具において、光源部の組付及び交換を容易にする技術に関する。
【背景技術】
【０００２】
車輌用、例えば、自動車用灯具の光源としては、タングステン白熱電球、ハロゲン電球、放電バルブ等が一般的に使用されているが、ＬＥＤも、高輝度のものが開発されたり、コストが低減されたり等の要因により、車輌用灯具の光源への適用が普及しつつある。
【０００３】
車輌用灯具は比較的広い面積に亘って光輝させる必要があること、特に、前照灯にあっては、高出力であることが要求されるため、１個の灯具に複数のＬＥＤが使用され、通常、複数のＬＥＤを搭載したＬＥＤ基板を１枚乃至複数枚、灯室内に配置して使用している。
【発明の開示】
【発明が解決しようとする課題】
【０００４】
ところで、上記したような構成の従来のＬＥＤを光源とした車輌用灯具にあっては、車種の異なる車輌に搭載する灯具ごとに大きさや形状が異なるため、必要とされるＬＥＤの数及び配置パターンが一様でなく、ＬＥＤ基板の大きさや形状及びそれに実装するＬＥＤの数が異なり、車種ごとに専用のものを設計して使用するほか無く、コスト増を免れない。
【０００５】
また、ＬＥＤが１個故障した場合でも、当該ＬＥＤが実装されているＬＥＤ基板を取り外して、故障したＬＥＤの取り替え作業を行うか、多数のＬＥＤが実装されているＬＥＤ基板そのものを交換するかしなければならない等、メンテナンスに手間と費用がかかるという問題がある。
【０００６】
本発明は、上記した問題点に鑑み、ＬＥＤを光源とする光源部の組付と交換を容易にすることを課題とする。
【課題を解決するための手段】
【０００７】
本発明車輌用灯具は、上記した課題を解決するために、光源となるＬＥＤモジュールと上記ＬＥＤモジュールを電源回路と接続するための給電ソケットを備え、上記ＬＥＤモジュールは、ほぼ平板状のＬＥＤ基板と、上記ＬＥＤ基板上に実装されたＬＥＤと、上記ＬＥＤ基板上の上記ＬＥＤを挟んで対向した位置に形成されると共にＬＥＤに接続された正負一対の通電部とを備えて成り、上記給電ソケットは、絶縁材料からなる基体と、上記基体に支持されると共に上記ＬＥＤモジュールの正負一対の通電部と接触する正負一対の接触端子を備え、上記基体は、上記ＬＥＤ基板の通電部が形成された側縁部を上記ＬＥＤ基板の主面にほぼ平行な方向に挿入可能な一対の支持部を備え、上記ＬＥＤ基板が上記給電ソケットの支持部に挿入された際に上記一対の通電部が上記一対の接触端子に各別に接触され、且つ、該側縁部が支持されるものである。
【０００８】
本発明車輌用灯具にあっては、ＬＥＤモジュールの通電部が形成された側縁部を給電ソケットの支持部に挿入するだけで、ＬＥＤモジュールの給電ソケットへの装着とＬＥＤの接触端子への接続が為される。
【発明の効果】
【０００９】
本発明車輌用灯具は、光源となるＬＥＤモジュールと上記ＬＥＤモジュールを電源回路と接続するための給電ソケットを備えた車輌用灯具であって、上記ＬＥＤモジュールは、ほぼ平板状のＬＥＤ基板と、上記ＬＥＤ基板上に実装された発光ダイオード（以下、「ＬＥＤ」という）と、上記ＬＥＤ基板上の上記ＬＥＤを挟んで対向した位置に形成されると共にＬＥＤに接続された正負一対の通電部とを備えて成り、上記給電ソケットは、絶縁材料からなる基体と、上記基体に支持されると共に上記ＬＥＤモジュールの正負一対の通電部と接触する正負一対の接触端子を備え、上記基体は、上記ＬＥＤ基板の通電部が形成された側縁部を上記ＬＥＤ基板の主面にほぼ平行な方向に挿入可能な一対の支持部を備え、上記ＬＥＤ基板が上記給電ソケットの支持部に挿入された際に上記一対の通電部が上記一対の接触端子に各別に接触され、且つ、該側縁部が支持されることを特徴とする。
【００１０】
従って、本発明車輌用灯具にあっては、ＬＥＤモジュールの通電部が形成された側縁部を給電ソケットの支持部に挿入するだけで、ＬＥＤモジュールの給電ソケットへの装着とＬＥＤの接触端子への接続が為される。従って、灯具には必要な数のＬＥＤを必要な位置に配置するための給電ソケット保持部を形成するだけで、ＬＥＤモジュールと給電ソケットは標準化して、汎用性を持たせることができる。これによって、ＬＥＤモジュールと給電ソケットは大量生産によりコストを低減することができ、また、仮に１個のＬＥＤが故障した場合には、当該ＬＥＤを実装したＬＥＤモジュールのみを付け替えれば良く、しかも、上記したように、ＬＥＤモジュールの給電ソケットへの組付（従って、取り外しも）はきわめて容易である。
【００１１】
請求項２に記載した発明にあっては、上記ＬＥＤ基板はほぼ四角形の外形を有し、該ＬＥＤ基板の対向する２つの側縁部に通電部が形成され、上記給電ソケットの一対の支持部は開口面が対向したチャンネル状に形成され、該支持部内においてＬＥＤ基板の通電部が形成された側縁部が上記接触端子によって又は接触端子と支持部との間で支持されるので、ＬＥＤモジュール及び給電ソケット共に構造が簡単であり、安価に構成することができる。
【００１２】
請求項３に記載した発明にあっては、上記接触端子は、バネ弾性を有する材料で形成されると共に、上記ＬＥＤ基板の通電部が形成された側縁部に弾発的に接触する弾接片を有するので、接触端子の弾接片の弾性によってＬＥＤ基板を給電ソケットの支持部に保持することができ、ＬＥＤモジュールを給電ソケットに保持するための構造を別に設ける必要が無く、給電ソケットの構造を単純化してコストを低減することができる。
【００１３】
請求項４に記載した発明にあっては、上記給電ソケットの基体には上記ＬＥＤ基板のＬＥＤ実装面の背面を開放する開口部が形成されているので、ＬＥＤの発光による熱を開口部から放射することができる。
【発明を実施するための最良の形態】
【００１４】
以下に、本発明車輌用灯具を実施するための最良の形態について添付図面を参照して説明する。なお、図示した実施の形態は本発明を自動車用前照灯に適用したものである。
【００１５】
図１及び図２に示すように、自動車用前照灯１０は、ランプハウジング１１と該ランプハウジング１１の全面を覆う透光カバー１２とによって画成された灯室１３内に、ハイビームランプ２０とロービームランプ３０が配置されて成る。上記ハイビームランプ２０は、図示しないＬＥＤを光源とする光源ユニット２１、２１、・・・が上下２段に５個配列されて成り、これら５個の光源ユニット２１、２１、・・・の照射光のパターンが合成されてハイビーム用配光パターンが形成される。上記ロービームランプ３０はＬＥＤを光源とする５個の光源ユニット４０、４０、・・・がほぼ環状に配置されて成る。
【００１６】
上記灯室１３内において透光カバー１２の内側に近接してベゼルと称される図示しないインナパネルが配置され、該インナパネルには上記した各ランプ２０、３０の光源ユニット２１、２１、・・・、４０、４０、・・・を前方に臨ませる円形の開口が形成され、これによって、上記各光源ユニット２１、２１、・・・、４０、４０、・・・の前端部以外は前方に対して覆われて、いわゆる目隠しされた状態とされる。
【００１７】
ハイビームランプ２０を構成する光源ユニット２１及びロービームランプ３０を構成する光源ユニット４０は、前端にそれぞれ投影レンズ２２、４１を備えた投射型の光照射ユニットとして構成されている。
【００１８】
上記ロービームランプ３０用光源ユニット４０、４０、・・・は、図３に詳細を示すランプブラケット５０に支持されている。そして、ランプブラケット５０は正面形状でほぼ矩形のフレーム状をしたアルミダイカスト製のランプフレーム１４に水平方向で回転可能に支持されている。上記ランプフレーム１４の側方にはハイビームランプ２０の光源ユニット２１、２１、・・・を支持するブラケット２３が一体的に形成されている。上記ランプフレーム１４の下面にはスイブル駆動部３１が支持されており、該スイブル駆動部３１内のモータによって回転される図示しない出力軸が上記ランプブラケット５０の下端部に連結され、例えば、ハンドルの舵角に応じてスイブル駆動部３１のモータが駆動され、これによって、ランプブラケット５０が水平方向で回動され、光源ユニット４０、４０、・・・によって形成されるロービームの照射方向が左右に向きを変えられる。
【００１９】
上記ランプブラケット５０の前面には、光源ユニット４０、４０、・・・を支持する支持ベース５１、５１、・・・が前方へ向けて突設されている。上記支持ベース５１は、ほぼ水平方向に延びる支持板５１ａの中央部上面にほぼ矩形に突出した接触凸部５１ｂが形成され、上記支持板５１ａの両側端から上方へ突出した突壁５１ｃ、５１ｃが形成され、該突壁５１ｃ、５１ｃと上記接触凸部５１ｂとの間の部分に溝部５１ｄ、５１ｄが形成されている。そして、上記突壁５１ｃ、５１ｃの上端からさらに側方へ突出した上部壁５１ｅ、５１ｅが形成されている。上記支持板５１ａの下面の左右方向における中央部にはほぼ中空筒状をした連結突部５１ｆが下方へ向けて突設されており、該連結突部５１ｆの前端壁にはネジ挿通孔５１ｇが形成されている。また、ブラケット５０には、上記溝部５１ｄ、５１ｄの上方に相当する位置に位置決め係合孔５２、５２が形成されている。さらに、ランプブラケット５０の背面には多数の放熱フィン５３、５３、・・・が突設され、これによって、ランプブラケット５０はヒートシンクとして機能する。
【００２０】
上記光源ユニット４０は、図４で良く分かるように、上記投影レンズ４１の他、ＬＥＤモジュール６０、給電用コネクタ７０、配光制御用のリフレクタ４２、配光制御用のシェード４３及び給電用ハーネス４４を備える。
【００２１】
ＬＥＤモジュール６０は、平面形状で矩形をした平板状のＬＥＤ基板６１を備え、該ＬＥＤ基板６１の上面のほぼ中央部にＬＥＤ６２が実装され、該ＬＥＤ６２を挟んで位置した側縁部の上面に正負の通電部６３、６３が形成されている。そして、これら通電部６３、６３とＬＥＤ６２の図示しない正負の端子とは各別に接続されている。
【００２２】
上記第１の実施の形態に係る給電ソケット７０は、図５で良く分かるように、絶縁材料からなる基体７１と、上記基体７１に支持されると共に上記ＬＥＤモジュール６０の正負一対の通電部６３、６３と接触する正負一対の接触端子７２、７２を備える。
【００２３】
上記基体７１は、一対の支持部７３、７３を有し、該一対の支持部７３、７３は開口面７３ａ、７３ａが対向したチャンネル状に形成されている。また、該支持部７３、７３の後端部上端からは位置決め係合片７３ｂ、７３ｂが後方へ向けて突設されている。上記支持部７３、７３の前端部間を連結する前端部７４が形成されている。これによって、基体７１には、支持部７３、７３と前端部７４とによって３方を囲まれ後端に開口した開口部７１ａが形成される。該前端部７４の前面の左右における中央部からはほぼ角筒状をしたコネクタケース７５が突設され、該コネクタケース７５の奥には上記前端部７４を前後に貫通した挿通孔７５ａ、７５ａが形成されている。また、上記前端部７４の下面の左右における中央部から取付片７６が下方に向けて突設されており、該取付片７６には取付孔７６ａが形成されている。
【００２４】
２つの接触端子７２、７２は左右対称の形状をしている。接触端子７２は接触部７７と該接触部７７の前端から前方へ向かって突出した端子片７８とが導電性及びバネ弾性を有する金属板によって一体に形成されている。上記接触部７７は横断面形状でほぼコ字形を成し、下辺部７７ａ及び側辺部７７ｂは平板状に形成され、上記端子片７８は側辺部７７ｂの前端から前方へ突出している。接触部７７の上辺部は側辺部７７ｂの上端から下辺部７７ｂと同じ方向へ突出し前後に多数並んで形成された指状片７７ｃ、７７ｃ、・・・として形成され、これら指状片７７ｃ、７７ｃ、・・・は左右における中央部がやや下方に位置するように湾曲されている。また、側辺部７７ｂの中央部には内方へ突出した押圧片７７ｄが形成されている。そして、２つの接触端子７２、７２は指状片７７ｃ、７７ｃ、・・・の先端が対向する向きで２つの支持部７３、７３に各別に挿入され、端子片７８、７８は前端部７４に形成された挿通孔７５ａ、７５ａを挿通されてコネクタケース７５内に位置され、接触部７７、７７は支持部７３、７３内に位置される。
【００２５】
そして、上記ＬＥＤモジュール６０は、ＬＥＤ６２を実装した面が上方を向き、且つ、２つの通電部６３、６３が左右に位置した状態で、後方から給電ソケット７０の支持部７３、７３内に挿入される。そして、ＬＥＤ基板６１が給電ソケット７０の前端部７４の後面に当接した状態で、ＬＥＤモジュール６０の通電部６３、６３が形成された側縁部が完全に支持部７３、７３内に位置し、ＬＥＤ基板６１の側縁部の下面が接触端子７２、７２の下辺部７７ａ、７７ａによって支持され、該側縁部の上面に形成された通電部６３、６３に接触端子７２、７２の指状片７７ｃ、７７ｃ、・・・が弾接し、これによって、ＬＥＤモジュール６０が給電ソケット７０の支持部７３、７３に支持されると共に、ＬＥＤ６２が接触端子７２、７２と接続される。また、接触端子７２、７２の側辺部７７ｂ、７７ｂに形成された押圧片７７ｄ、７７ｄがＬＥＤ基板６２の側端面を押圧し、これによって、ＬＥＤモジュール６０の給電ソケット７０内でのガタツキが防止され、確実に保持される。
【００２６】
上記したように、ＬＥＤモジュール６０を支持した給電ソケット７０が上記ランプブラケット５０の支持ベース５１に支持される。給電ソケット７０は支持ベース５１の支持板５１ａの上に支持部７３、７３が位置するようにして、支持部７３、７３の後端の位置決め係合片７３ｂ、７３ｂがランプブラケット５０の支持ベース５１の上方に形成された位置決め係合孔５２、５２に係合される。この状態で、支持部７３、７３の下端部が支持ベース５１の溝部５１ｄ、５１ｄに係合し、また、２つの溝部５１ｄ、５１ｄの間に位置した接触凸部５１ｂが２つの支持部７３、７３の間に形成された開口部７１ａに位置してＬＥＤモジュール６０のＬＥＤ基板６１の下面と当接した状態となる。また、図６で良く分かるように、給電ソケット７０の取付片７６は支持ベース５１の連結突部５１ｆの前端面に当接し、その取付孔７６ａと連結突部５１ｆのネジ挿通孔５１ｇとが整列した状態となる。そこで、上記ネジ挿通孔５１ｇに後方から挿通された取付ネジ７９が取付孔７６ａに挿通され、さらに、上記取付ネジ７９が上記シェード４３の後述する螺穴に螺合されて、取付片７６が支持ベース５１の連結突部５１ｆとシェード４３との間に挟持された状態となり、これによって、給電ソケット７０がランプブラケット５０の支持ベース５１に支持される。なお、上記した給電用ハーネス４４の先端に接続されたハーネスコネクタ４４ａが給電ソケット７０のコネクタケース７５内に嵌合され、これによって、給電用ハーネス４４が接触端子７２、７２と接続される。従って、ＬＥＤ６２が接触端子７２、７２、給電用ハーネス４４を介して給電され得る状態となる。なお、給電ソケット７０のコネクタケース７５は、図４の引き出し部に示すように、無くとも良い。この場合、接触端子７２、７２の端子片７８、７８はむき出しの状態となるが、電気的な接続のためには障害となることはない。
【００２７】
図７及び図８に詳細に示すように、上記シェード４３は円筒の上半分を切り取って下半分を残した形状の半円筒部４３ａの後面を閉塞する壁部４３ｂの上縁４３ｃがロービームの配光パターンの上縁を限定するカットオフラインを形成するための遮光縁となっている。上記半円筒部４３ａの両側部上端の前面には位置決め突起４３ｄ、４３ｄが形成されている。また、上記壁部４３ｂの後面の上端部両側部からは後方へ向けて支持部４３ｅ、４３ｅが突設されており、該支持部４３ｅ、４３ｅの外側面に係合爪４３ｆ、４３ｆが突設され、また、支持部４３ｅ、４３ｅの上面に係合孔４３ｇ、４３ｇが形成されている。さらに、上記壁部４３ｂの後面の下端寄りの位置からは後方へ向けて取付ボス４３ｈが突設されており、該取付ボス４３ｈの後面に開口するように螺穴４３ｉが形成されている。そして、該螺穴４３ｉにランプブラケット５０の支持ベース５１のネジ挿通孔５１ｇ及び給電ソケット７０の取付孔７６ａを後方から挿通された取付ネジ７９が螺合される。
【００２８】
リフレクタ４２は給電ソケット７０に支持されたＬＥＤモジュール６０のＬＥＤ６２の上方及び後方を覆うようにシェード４３に支持される。リフレクタ４２は、集光性の反射面、例えば、楕円面、双曲面、放物面等の曲面のほぼ上半分から成る反射面を内面に有する反射面部４２ａを有し、該反射面部４２ａの両側部の前端部に前方から見てほぼ倒立Ｌ状をした被支持部４２ｂ、４２ｂが形成され、該被支持部４２ｂ、４２ｂの外端に位置する垂直壁に係合孔４２ｃ、４２ｃが形成され、また、被支持部４２ｂ、４２ｂの水平壁に下方へ突出した嵌合ピン４２ｄ、４２ｄが形成されている。
【００２９】
そして、上記リフレクタ４２は、嵌合ピン４２ｄ、４２ｄがシェード４３の支持部４３ｅ、４３ｅの上面に形成された係合孔４３ｇ、４３ｇに圧入状に嵌合され、さらに、係合孔４２ｃ、４２ｃが上記支持部４３ｅ、４３ｅの外側面に形成された係合爪４３ｆ、４３ｆと係合されて、シェード４３に支持され、この状態で、反射面部４２ａがＬＥＤモジュール６０のＬＥＤ６２の上方及び後方を覆い、ＬＥＤ６２から出射した光が反射面部４２ａの反射面によって反射されてシェード４３の遮光縁４３ｃ近傍に集光される。
【００３０】
投影レンズ４１は円環状のレンズ保持枠４１ａに保持されており、レンズ保持枠４１ａの左右両側部には後面に開口した嵌合穴４１ｂ、４１ｂが形成されている。そして、レンズ保持枠４１ａの嵌合穴４１ｂ、４１ｂにシェード４３の前端に突設された位置決め突起４３ｄ、４３ｄが嵌合され、これによって、投影レンズ４１がシェード４３に対して位置決めされて取り付けられ、該投影レンズ４１の焦点がシェード４３の遮光縁４３ｃの近傍に位置される。
【００３１】
以上のようにして光源ユニット４０が形成される。
【００３２】
次ぎに、接触端子の変形例を示す。
【００３３】
図９は接触端子の第１の変形例を示すものである。
【００３４】
接触端子８０は、接触部８１と該接触部８１の前端から前方へ突設された端子片８２とを備える。接触部８１は横断面形状で大略コ字状を成す。下辺部８３はほぼ平板状をしており、後端部８３ａは斜め下方へ傾斜している。また、下辺部８３の前端には上方へ立ち上げられた前面部８５が形成されており、該前面部８５の内端には僅かに後方へ偏倚したストッパ片８５ａが形成されている。そして、前面部８５の内端寄りの上縁から端子片８２が前方へ向けて突設されている。側辺部８４は後端部に外方へ突出し、前方へ向かって開口するコ字状をした係合部８４ａが形成され、また、前端寄りの部分の上縁には切欠８４ｂが形成されている。さらに、側辺部８４の前後方向のほぼ中央部には内方へ、すなわち、下辺部８３の突出方向と同じ方向へ突出した押圧部８４ｃが形成されている。接触部８１の上辺部は側辺部８４の上端から下辺部８３と同じ方向へ突出し前後に多数並んで形成された指状片８６、８６、・・・として形成され、これら指状片８６、８６、・・・は左右における中央部がやや下方に位置するように湾曲されている。上記端子片８２の外側縁の基端部には外方へ突出した係止爪８２ａが形成されている。
【００３５】
上記接触端子８０、８０は指状片８６、８６、・・・の先端が対向する向きで基体７１支持部７３、７３に各別に挿入され、端子片８２、８２は前端部７４に形成された挿通孔７５ａ、７５ａを挿通されてコネクタケース７５内に位置され、接触部８１、８１は支持部７３、７３内に位置される。そして、側辺部８４、８４の後端に形成された係合部８４ａ、８４ａが支持部７３、７３の後端部を抱え込むように係合し、これによって、接触端子８０、８０の支持部７３、７３への挿入深さが規定される。また、端子片８２、８２の係止爪８２ａ、８２ａが挿通孔７５ａ、７５ａの内壁面に食い込み、接触端子８０、８０の基端７１からの抜け出しが防止される。
【００３６】
支持部７３、７３内に挿入されたＬＥＤモジュール６０はＬＥＤ基板６１の通電部６３、６３が形成された側縁部が接触端子８０、８０の下辺部８３、８３と指状片８６、８６、・・・とによって挟持状に保持され、さらに、ＬＥＤ基板６１の側端面が接触端子８０、８０の押圧部８４ｃによって押圧されて、ＬＥＤモジュール６０の給電ソケット７０に対するがたつきが防止される。なお、押圧部８４ｃは２つの接触端子８０、８０の両方に形成されても、又は、一方にのみ形成されても良い。また、ＬＥＤモジュール６０の支持部７３、７３への挿入深さは、ＬＥＤ基板６１の前端が接触端子８０、８０のストッパ片８５ａ、８５ａに接触することによっても規定される。
【００３７】
上記接触端子８０における上辺部の変形例を図１０に示す。
【００３８】
上記上辺部は多数の指状片８６、８６、・・・によって形成されているが、この変形例による上辺部８７は平板状に形成され、下方へ向けて半球状に突出した突部８７ａ、８７ａ、８７ａが前後に並んで形成されている。従って、ＬＥＤモジュール６０が支持部７３、７３内に挿入されると、上辺部８７、８７に形成された突部８７ａ、８７ａ、・・・がＬＥＤモジュール６０の通電部６３、６３に接触する。
【００３９】
また、上記接触端子８０における押圧部の変形例を図１１に示す。
【００４０】
図９にあっては、ＬＥＤ基板６１の側端を押圧する押圧部８４ｃは側辺部８４に形成されていたが、この変形例にあっては、下辺部８８に形成される。すなわち、平板状をした下辺部８８の前後両端寄りの位置に幅方向に延びる切欠８８ａ、８８ａが形成され、該切欠８８ａと８８ａとの間の部分の突出端が上方へ折り曲げられて押圧片８８ｂとされ、該押圧片８８ｂの後端部が側辺部８４の方へ斜めに折り曲げられて導入部８８ｃとされている。従って、ＬＥＤモジュール６０が支持部７３、７３内に挿入されると、上記押圧片８８ｂがＬＥＤ基板６１の側端を押圧し、ＬＥＤモジュール６０のガタつきが防止される。なお、ＬＥＤモジュール６０が支持部７３、７３に挿入される際に、押圧片８８ｂの後端部に形成された導入部８８ｃがＬＥＤ基板６１の前端の角を案内する。
【００４１】
図１２及び図１３は接触端子の第２の変形例を示す。
【００４２】
接触端子９０は、接触部９１と該接触部９１の前端から前方へ突設された端子片９２とを備える。接触部９１は横断面形状で大略コ字状を成す。側辺部９３は後端部に外方へ突出し、前方へ向かって開口するコ字状をした係合部９３ａが形成される。また、側辺部９３の前端からは下辺部９４及び上辺部９５の突出方向と同じ方向へ突出した前面部９６が突出され、該前面部９６の上端から前方へ向かって端子片９２が突出されている。また、前面部９６の内端部の下縁からは後方へ次いで上方へと折り返された弾接片９６ａが形成されている。
【００４３】
下辺部９４は、前後方向に延びる主辺部９４ａと該主辺部９４ａをその前後方向における中央部で側辺部９３の下縁と連結する連結部９４ｂとから成り、主辺部９４ａの前後両端部９４ｃ、９４ｃは上方へ突出するように湾曲している。これによって、主辺部９４ａの両端部９４ｃ、９４ｃに大きな弾性が付与される。上辺部９５は平板状を成し、下方へ向けて半球状に突出した突部９５ａ、９５ａ、９５ａが前後に並んで形成されている。上記端子片９２の外側縁の基端部には外方へ突出した係止爪９２ａが形成されている。
【００４４】
上記接触端子９０にあって、側辺部９３の後端に形成された係合部９３ａ及び端子片９２の係止爪９２ａは、それぞれ、上記接触端子８０の係合部８４ａ及び係止爪８２ａと同様に機能する。そして、ＬＥＤモジュール６０が支持部７３、７３内に挿入されると、接触端子９０、９０の下辺部９４、９４の前後両端の湾曲部９４ｃ、９４ｃ、・・・がＬＥＤ基板６１の通電部６３、６３が形成された側縁部の下面を弾発的に上方へと押圧し、それによって、通電部６３、６３が上辺部９５、９５の突部９５ａ、９５ａ、・・・に圧接される。また、ＬＥＤモジュール６０はＬＥＤ基板６１の前端が接触端子９０、９０の弾接片９６ａ、９６ａに接触したところで支持部７３、７３への挿入が停止される。
【００４５】
なお、上記した給電ソケット７０の基体７１においては、支持部７３、７３と前端部７４とが上方から見て後方に開口したコ字状を為すように構成され、これによって後方に開いたコ字状の開口部７１ａが形成されるが、図５に２点鎖線で示すように、２つの支持部７３、７３の下端部間を後端において連結する連結桟７３ｃを一体に形成して、開口部７１ａが上下にのみ開放されたものとすることもできる。これによって、基体７１の強度を高くすることができる。なお、上記した連結桟７３ｃを設けた場合は、図１４に示すように、ランプブラケット５０に形成する支持ベース５１の接触凸部５１ｂの後端に両脇の溝部５１ｂ、５１ｂと連結する溝部５１ｈを形成する必要がある。そして、この溝部５１ｈの前後幅は給電ソケット７０の基体７１の連結桟７３ｃの前後幅に位置決め係合片７３ｂの突出長さをプラスした幅とする。そして、給電ソケット７０を支持ベース５１に取り付ける際は、給電ソケット７０を上方から支持ベース５１の支持板５１ａに近づけて行き、連結桟７３ｃを溝部５１ｈの前側に挿入し、また、給電ソケット７０の開口部７１ａに接触凸部５１ｂが挿入されるようにする。それから、給電ソケット７０を後方へ移動させて、位置決め係合片７３ｂ、７３ｂをランプブラケット５０の位置決め孔５２、５２に係合させ、後は、取付ネジ７９を支持ベース５１のネジ挿通孔５１ｇ、給電ソケット７０の取付孔７６ａの順に挿通した後、シェード４３の螺穴４３ｉに螺合すれば、支持ベース５１にシェード４３と共に給電ソケット７０が取り付けられる。
【００４６】
図１５乃至図１７は給電ソケットの第２の実施の形態を示す。
【００４７】
給電ソケット１００は、絶縁材料から形成された基体１０１とバネ弾性及び導電性を有する接触端子１０２、１０２を有する。上記基体１０１は平板状を成し大きな矩形の開口部１０１ａを有する主部１０３の左右両側縁に沿って上方へ突出した壁部１０４、１０４が形成され、該壁部１０４、１０４の前後両端部からさらに上方へ突出した位置決め突起１０４ａ、１０４ａ、・・・が形成されている。そして、上記主部１０１には両側端面に開口した螺穴１０１ｂ、１０１ｂ（図には一方のもののみ示す）が形成されている。また、上記主部１０１の後端部上面は後下がりの傾斜面１０１ｃとされ、さらに、上記壁部１０４、１０４に近接した部分の上面が受面１０１ｄ、１０１ｄとされている。
【００４８】
接触端子１０２は横断面形状でほぼコ字状をした接触支持部１０５と該接触支持部１０５の後端から後方へ突出した端子片１０６とが一体に形成されている。上記接触支持部１０５は主面が左右を向いた前後に長い板状をした側面部１０５ａと該側面部１０５の上下端縁から同じ方向へ突出した上辺部及び下辺部とが一体に形成されて成る。上記上辺部は前後方向に複数並んだ指状片１０５ｂ、１０５ｂ、・・・によって構成され、該指状片１０５ｂ、１０５ｂ、・・・は中間部が下方へ突出するように湾曲している。また、下辺部１０５ｃは平板状に形成され、その突出端が上方へ突出するように湾曲されて弾接部１０５ｄが形成され、これによって曲げ強度が増大されている。そして、上記側面部１０５ａの中央部にはネジ挿通孔１０５ｅが形成されている。上記端子片１０６は基端部がＬ字状に屈曲され、該Ｌ字状屈曲部１０６ａの先端が接触支持部１０５の側面部１０５ａの後端に一体に連続している。
【００４９】
接触端子１０２は、側方から上記基体１０１に取り付けられる。上辺部、すなわち、指状片１０５ｂ、１０５ｂ、・・・の基部が位置決め突起１０４ａと１０４ａとの間で壁部１０４の上端に接触し、下辺部１０５ｃが主部１０３の下面と接触するように、接触支持部１０５で主部１０３の側部を上下から挟むようにし、側面部１０５ａを主部１０３の側端面及び壁部１０４の該側面に接触させ、側面部１０５ａに形成されたネジ挿通孔１０５ｅを外側から挿通されたネジ１０７を主部１０３の側端面に形成された螺穴１０１ｂに螺合する。これによって、接触端子１０２が基部１０１の側部に固定され、指状片１０５ｂ、１０５ｂ、・・・が壁部１０４の上端から主部１０３の中央部に向かって突出した状態となり、これら指状片１０５ｂ、１０５ｂ、・・・と基体１０１の受面１０１ｄと壁部１０４によってほぼコ字状をした支持部１０８が形成される。
【００５０】
そこで、ＬＥＤモジュール６０はＬＥＤ６２が上側に位置した状態でＬＥＤ基板６１の側縁部が給電ソケット１００の支持部１０８、１０８に後方から挿入される。このとき、基体１０１の後端に形成された傾斜面１０１ｃがＬＥＤ基板６１の支持部１０８、１０８への挿入を補助する。ＬＥＤ基板６１が支持部１０８、１０８に完全に挿入されると、接触端子１０２、１０２の指状片１０５ｂ、１０５ｂ、・・・がＬＥＤ基板６１の側縁部上面に形成された通電部６３、６３に弾接して、接触端子１０２、１０２とＬＥＤ６２との間が電気的に接続されると共に、指状片１０５ｂ、１０５ｂ、・・・の弾発力がＬＥＤ基板６１の側縁部を基体１０１の受面１０１ｄ、１０１ｄに押し付け、これによって、ＬＥＤモジュール６０が給電ソケット１００に確実に支持される。
【００５１】
そして、給電用ハーネス４４の先端に接続されているハーネスコネクタ４４ａが接触端子１０２、１０２の端子片１０６、１０６に接続されて、ＬＥＤ６２が図示しない点灯回路と接続される。
【００５２】
図１６及び図１７には接触端子１０２を基体１０１に取り付ける構造の変形例を示す。
【００５３】
図１６及び図１７にあっては、基体１０１の主部１０３の側端面には螺穴は形成されずに、替わりに、カシメ用ボス１０３ａが突設されている。従って、接触端子１０２のネジ挿通孔１０５ｅに上記カシメ用ボス１０３ａを挿通し、それから、図１７に示すように、カシメ用ボス１０３ａのネジ挿通孔１０５ｅから突出した部分をカシメて、抜け止め頭部１０３ｂを形成する。これによって、接触端子１０２は基体に取り付けられる。この変形例にあっては、ネジ１０７が２本不要になり、部品代を低減できると共に部品管理が簡単になる。
【００５４】
図１８に給電ソケットの第３の実施の形態を示す。
【００５５】
給電ソケット１１０は、絶縁材料から形成された基体１１１とバネ弾性及び導電性を有する金属材料で形成された接触端子１１２、１１３とを備える。
【００５６】
基体１１１は、平板状をした底部１１４の後縁を除く３つの側縁部に平面形状でコ字状を為すように周壁が形成され、左右で対向した周壁１１５、１１５が支持部とされ、該支持部１１５、１１５の後端部の上端から互いに対向する方向へ突出した庇部１１５ａ、１１５ａが形成されている。また、底部１１４の一方の側部の前端部下面にはコネクタケース１１６が突設され、該コネクタケース１１６は側方へ開口されている。
【００５７】
上記基体１１１の支持部１１５、１１５の互いに対向した面の上端寄りの位置から接触端子１１２、１１３が互いに対向する側に突設されている。該接触端子１１２、１１３には基体１１１内に埋め込まれる埋め込み部（不図示）と支持部１１５、１１５から突出される接触部１１２ａ、１１３ａと端子片１１２ｂ、１１３ｂが一体に形成されている。そして、接触部１１２ａ、１１３ａには下方へ向けてほぼ半球状に打ち出された接触突部１１２ｃ、１１２ｃ、・・・、１１３ｃ、１１３ｃ、・・・が前後に並んで複数形成されている。そして、このような接触端子１１２、１１３は基体１１１の射出成形時に金型内に予めインサート（挿入）されて、基体１１１の成形と共に基体１１１に一体化される、いわゆる、インサート成形によって、基体１１１に固定される。そして、上記した埋め込み部及び端子部１１２ｂ、１１３ｂのコネクタケース１１６内に突出される部分を除く部分が基体１１１の肉厚内に埋め込まれた状態となる。
【００５８】
そして、ＬＥＤモジュール６０は、ＬＥＤ６２が上方を向いた向きでＬＥＤ基板６１の側縁部が後方から底部１１４、支持部１１５及び庇部１１５ａ、１１５ａで形成されたコ字状のチャンネル部から給電ソケット１１０内に挿入されていき、給電ソケット１１０内に完全に挿入されると、ＬＥＤ基板６１の側縁部上面に形成された通電部６３、６３に接触端子１１２、１１３の接触部１１２ａ、１１３ａ、特に、その接触突部１１２ｃ、１１２ｃ、・・・、１１３ｃ、１１３ｃ・・・が弾接し、且つ、ＬＥＤ基板６１の側縁部の下面を底部１１４に押し付け、これによって、ＬＥＤモジュール６０は給電ソケット１１０に支持される。
【００５９】
図１９は第３の実施の形態に係る給電ソケット１１０の変形例を示し、コネクタケースを設けずに、端子片１１２ｂ、１１３ｂが剥き出しの状態になっているものである。
【００６０】
本発明車輌用灯具にあっては、ＬＥＤモジュールや給電ソケットを標準化して、コストの低減を図ることが可能になる。また、ＬＥＤモジュールや給電ソケットの着脱が容易であり、メンテナンス性に優れている。
【００６１】
なお、上記した実施の形態及び変形例において示した各部の形状及び構造は、何れも本発明を実施するに際して行う具体化のほんの一例を示したものに過ぎず、これらによって本発明の技術的範囲が限定的に解釈されることがあってはならないものである。
【図面の簡単な説明】
【００６２】
【図１】図面は本発明車輌用灯具の実施の形態を示すものであり、本図は透光カバーを除去して示す概略正面図である。
【図２】透光カバーを一部切り欠いて示す概略斜視図である。
【図３】ロービームランプ用のランプブラケットを示す斜視図である。
【図４】ランプブラケットの支持ベースと共に示す光源ユニットの分解斜視図である。
【図５】給電ソケットを分解して背面側から見て示す斜視図である。
【図６】給電ソケットがランプブラケットの支持ベースに取り付けられた状態の要部を示す断面図である。
【図７】図７と共にシェードを示し、本図は正面側から見た状態を投影レンズ及びリフレクタと共に示す斜視図である。
【図８】背面側から見た斜視図である。
【図９】接触端子の第１の変形例を示す概略斜視図である。
【図１０】図９に示した接触端子における上辺部の変形例を示す要部の斜視図である。
【図１１】図９に示した接触端子における押圧部の変形例を示す要部の斜視図である。
【図１２】図１３と共に接触端子の第２の変形例を示し、本図は斜視図である。
【図１３】要部の横断面図である。
【図１４】ランプブラケットに設ける支持ベースの変形例を示す斜視図である。
【図１５】図１６及び図１７と共に給電ソケットの第２の実施の形態を示し、本図は分解斜視図である。
【図１６】図１７と共に接触端子を基体に固定する構造の変形例を示し、本図は要部の分解斜視図である。
【図１７】接触端子を基体に固定した状態での要部の断面図である。
【図１８】給電ソケットの第３の実施の形態を示す斜視図である。
【図１９】第３の実施の形態に係る給電ソケットの変形例を示すものである。
【符号の説明】
【００６３】
１０…自動車用前照灯（車輌用灯具）、６０…ＬＥＤモジュール、６１…ＬＥＤ基板、６２…ＬＥＤ、６３…通電部、７０…給電ソケット、７１…基体、７１ａ…開口部、７２…接触端子、７３…支持部、７７ｃ…指状片（弾接片）、８０…接触端子、８６…指状片（弾接片）、８７…上辺部（弾接片）、９０…接触端子、９５…上辺部（弾接片）、１００…給電ソケット、１０１…基体、１０１ａ…開口部、１０２…接触端子、１０５ｂ…指状片（弾接片）、１１０…給電ソケット、１１１…基体、１１２…接触端子、１１２ａ…接触部（弾接片）、１１３…接触端子、１１３ａ…接触部（弾接片）
【図１】
2007141549.tif 000003
【図２】
2007141549.tif 000004
【図３】
2007141549.tif 000005
【図４】
2007141549.tif 000006
【図５】
2007141549.tif 000007
【図６】
2007141549.tif 000008
【図７】
2007141549.tif 000009
【図８】
2007141549.tif 000010
【図９】
2007141549.tif 000011
【図１０】
2007141549.tif 000012
【図１１】
2007141549.tif 000013
【図１２】
2007141549.tif 000014
【図１３】
2007141549.tif 000015
【図１４】
2007141549.tif 000016
【図１５】
2007141549.tif 000017
【図１６】
2007141549.tif 000018
【図１７】
2007141549.tif 000019
【図１８】
2007141549.tif 000020
【図１９】
2007141549.tif 000021